(57)【要約】【課題】簡単な形式で地中ゾンデが種々の長さに形成され得て、これが僅かな組立て費用で建造箇所に可能とする前記種類の地中ゾンデを形成するシステムを準備すること。【解決手段】この発明は、地中から熱エネルギーを受け取り且つ熱エネルギーを地中に放出する、又は地中から熱エネルギーを受け取るか、或いは熱エネルギーを地中に放出して、地中ゾンデが地中ゾンデ（１）の下端に互いに接続されている往復導管を備える導管システムを有して地中ゾンデ（１）を形成するシステムに関し、このシステムは、地中ゾンデ（１）の往路導管及び／又は復路導管のそれぞれ一つの部分（１５、１６）が形成されていて、少なくとも一つの形状一体及び／又は力一体的結合、特に差込み結合によって少なくとも接続できるゾンデモジュール（１１、１２）と脚部材（１３）を包含し、この脚部材が地中ゾンデ（１）の導管システムの往路導管を復路導管と接続する部分を形成していて、ゾンデモジュール（１１、１２）と少なくとも一つの形状一体及び／又は力一体的結合、特に差込み結合によって接続できる。
2010520387.tif 000002
【特許請求の範囲】
【請求項１】
地中から熱エネルギーを受け取り且つ熱エネルギーを地中に放出する、又は地中から熱エネルギーを受け取るか、或いは熱エネルギーを地中に放出して、地中ゾンデが地中ゾンデ（１）の下端に互いに接続されている往復導管を備える導管システムを有して地中ゾンデ（１）を形成するシステムにおいて、このシステムは、地中ゾンデ（１）の往路導管及び／又は復路導管のそれぞれ一つの部分（１５、１６）が形成されていて、少なくとも一つの形状一体及び／又は力一体的結合、特に差込み結合によって少なくとも接続できるゾンデモジュール（１１、１２）と脚部材（１３）を包含し、この脚部材が地中ゾンデ（１）の導管システムの往路導管を復路導管と接続する部分を形成していて、ゾンデモジュール（１１、１２）と少なくとも一つの形状一体及び／又は力一体的結合、特に差込み結合によって接続できることを特徴とするシステム。
【請求項２】
このシステムは異なった長さのゾンデモジュール（１１、１２）を包含することを特徴とする請求項１に記載のシステム。
【請求項３】
それぞれのゾンデモジュール（１１）が地中ゾンデ（１）の往路導管の部分（１５）及び復路導管の部分（１６）を形成していて、二つのゾンデモジュール（１１、１２）の連結された状態には、往路導管の部分（１５）及び／又は復行導管の部分（１６）が形状一体及び／又は力一体的結合、特に差込み結合によって接続できることを特徴とする請求項１或いは２に記載のシステム。
【請求項４】
往復導管の部分（１５、１６）が互いに位置して特に共軸方向配列を有することを特徴とする請求項１乃至３のいずれか一項に記載のシステム。
【請求項５】
二つのゾンデモジュール（１１、１２）の往路導管及び／又は復路導管の部分（１５、１６）が差込み結合を形成するように直接に一体に差込まれ得ることを特徴とする請求項１乃至４のいずれか一項に記載のシステム。
【請求項６】
二つのゾンデモジュール（１１、１２）の往路導管及び／又は復路導管の部分（１５、１６）が継手部材（３９）によって互いに接続できていて、この継手部材が両ゾンデモジュール（１１、１２）の往路導管の部分（１５）及び／又は復路導管の部分（１６）と一体に差込まれ得ることを特徴とする請求項１乃至５のいずれか一項に記載のシステム。
【請求項７】
地中ゾンデ（１）の往復導管が並んで延びていることを特徴とする請求項１乃至３のいずれか一項に記載のシステム。
【請求項８】
ゾンデモジュール（１１、１２）が外管部材（１７）を有し、外管部材の内部に地中ゾンデ（１）の導管システムの部分が受け取られ、往復導管の部分（１５、１６）により形成される管部材を包含することを特徴とする請求項１乃至７のいずれか一項に記載のシステム。                                                                            
【請求項９】
二つのゾンデモジュール（１１、１２）の外管部材（１７）が少なくとも一つの形状一体及び／又は力一体的結合、特に差込み結合によって互いに接続できることを特徴とする請求項８に記載のシステム。  
【請求項１０】
往路導管及び復路導管が少なくとも一つの形状一体及び／又は力一体的結合、特に差込み結合によって互いに接続できることを特徴とする請求項９に記載のシステム。  
【請求項１１】
二つのゾンデモジュール（１１、１２）の結合の際に一方の各ゾンデモジュール（１１、１２）の外管部材（１７）の一端に設けられた管接続部（２９）がこのゾンデモジュール（１１、１２）と接続すべきゾンデモジュール（１１、１２）の他端に差込まれ得ることを特徴とする請求項９或いは１０に記載のシステム。  
【請求項１２】
継手部材（４３）が存在し、この継手部材が接続すべきゾンデモジュール（１１、１２）の外管部材（１７）の両端に挿入できることを特徴とする請求項９或いは１０に記載のシステム。  
【請求項１３】
各ゾンデモジュール（１１、１２）の外管部材（１７）とゾンデモジュール（１１、１２）の導管システムの間の中間空間（１８）が少なくとも縦延長部の大部分にわたり一つの特にセメント結合された排水物質（１９）で充填されていることを特徴とする請求項８乃至１２のいずれか一項に記載のシステム。
【請求項１４】
脚部材（１３）が外管部材（３２）を有し、外管部材の内部には地中ゾンデ（１）の導管システムの部分が配置されていて、その部分により地中ゾンデの往路導管が地中ゾンデの復路導管と接続できることを特徴とする請求項８乃至１３のいずれか一項に記載のシステム。
【請求項１５】
脚部材（１３）とゾンデモジュール（１１、１２）の接続された状態では、脚部材（１３）の外管部材（３２）がゾンデモジュール（１１、１２）の外管部材（１７）と少なくとも一つの形状一体及び／又は力一体的結合、特に差込み結合によって接続できることを特徴とする請求項１４に記載のシステム。
【請求項１６】
二つの互いに接続されたゾンデモジュール（１１、１２）が少なくとも一つの閉鎖状態に係止された差込み結合によって形状一体に互いに接続されていることを特徴とする請求項１乃至１５のいずれか一項に記載のシステム。
【請求項１７】
往復導管の互いに位置して特に共軸方向配列では、互いに接続されたゾンデモジュールの復路導管の部分（１６）が閉鎖状態に係止された差込み結合によって形状一体に互いに接続されていることを特徴とする請求項１６に記載のシステム。
【請求項１８】
二つの互いに接続されたゾンデモジュール（１１、１２）の外管部材（１７）は、外管部材の内部には地中ゾンデ（１）の導管システムの各部分が受け取られ、閉鎖状態に係止された差込み結合を介して形状一体に互いに接続されていることを特徴とする請求項１６或いは１７に記載のシステム。
【請求項１９】
ゾンデモジュール（１１、１２）と接続された脚部材（１３）がゾンデモジュール（１１、１２）と閉鎖状態に係止された少なくとも一つの差込み結合によって形状一体に接続されていることを特徴とする請求項１乃至１８のいずれか一項に記載のシステム。
【請求項２０】
このシステムがゾンデヘッド（１４）を包含し、このゾンデヘッドが形状一体及び／又は力一体的結合、特に差込み結合を形成して、地中ゾンデ（１）の往復導管を備える第一と第二の接続部（３４、３５）と、形状一体及び／又は力一体的結合、特に差込み結合を形成して、地中ゾンデ（１）への供給導管と地中ゾンデからの放出導管を備える第三と第四の接続部（３６、３７）とを有することを特徴とする請求項１乃至１９のいずれか一項に記載のシステム。
【請求項２１】
ゾンデヘッド（１４）が第三接続部を第四接続部と接続する通路（３８）を有し、この通路により迂回が地中ゾンデ（１）に対して形成されていることを特徴とする請求項２０に記載のシステム。
【請求項２２】
地中から熱エネルギーを受け取り且つ熱エネルギーを地中へ放出するか、又は地中から熱エネルギーを受け取るか、或いは熱エネルギーを地中へ放出する地中ゾンデ装置であって、この地中ゾンデ装置が特に請求項１乃至２１のいずれか一項に記載のシステムによって形成された少なくとも一つの地中ゾンデと結合導管システム（２−８）とを有し、この地中ゾンデが熱担体媒体を貫通できる往復導管を備える導管システムを有し、結合導管システムによって各地中ゾンデ（１）の熱担体媒体がこの地中ゾンデ（１）に案内する供給導管を介して供給でき、結合導管システムを介して熱担体媒体が各地中ゾンデ（１）からこの地中ゾンデ（１）から離れて案内する放出導管を介して放出できる地中ゾンデ装置において、供給導管と放出導管が形状一体及び／又は力一体的結合、特に差込み結合によって互いに接続できる導管部材（２−８）から形成されていることを特徴とする地中ゾンデ装置。
【請求項２３】
供給導管と放出導管の少なくとも一方が形状一体及び／又は力一体的結合（９、１０）、特に差込み結合によって互いに接続された導管部材（２−８）を包含することを特徴とする請求項２２に記載の地中ゾンデ装置。
【請求項２４】
供給導管と放出導管が形状一体及び／又は力一体的結合（９、１０）、特に差込み結合によって互いに接続できる異なった長さの導管部材（２−８）を包含することを特徴とする請求項２２或いは２３に記載の地中ゾンデ装置。
【請求項２５】
導管部材（２−８）が少なくとも一つの地中ゾンデ（１）の往路導管の部分（１５）を形成するか、或いは復路導管の部分（１６）を形成するゾンデモジュール（１１、１２）として使用できることを特徴とする請求項２２乃至２４のいずれか一項に記載の地中ゾンデ装置。
【請求項２６】
地中ゾンデ装置が少なくとも二つの一列に接続された地中ゾンデ（１）を包含することを特徴とする請求項２２乃至２５のいずれか一項に記載の地中ゾンデ装置。
【請求項２７】
少なくとも一つの地中ゾンデ（１）が少なくとも二つのゾンデモジュール（１１、１２）を包含することを特徴とする請求項２２乃至２６のいずれか一項に記載の地中ゾンデ装置。
【発明の詳細な説明】
【技術分野】
【０００１】
この発明は、土地から熱エネルギーを受け取り且つ土地に熱エネルギーを放出する又は土地から熱エネルギーを受け取る、或いは土地に熱エネルギーを放出する地中ゾンデを形成するシステムに関し、この地中ソンデが地中ゾンデの下端にて互いに連結されている往復導管を備える導管システムを有する。さらに、この発明は、土地から熱エネルギーを受け取り且つ土地に熱エネルギーを放出する又は土地から熱エネルギーを受け取る、或いは土地に熱エネルギーを放出する地中ゾンデ装置に関し、この地中ゾンデ装置が熱担体媒体を貫流できる往復導管を有する少なくとも一つの成形地中ゾンデと、熱担体媒体がそれぞれの地中ソンデに供給でき、これから放出できる供給放出導管とを包含する。
【背景技術】
【０００２】
面集熱器とは違って土面の深くに突き出して地熱を得る地中ゾンデは、異なった実施態様において知られている。直接に土面に堀り下げる、特に打ち込まれる、或いは振動される副地中ゾンデは、地中に設けられた穿った孔に挿入されるか、或いは地面に設けられた構成部材に存在する、例えば打ち込まれた鉄鋼管或いはコンクリート管に、打ち込まれたパイロット或いは土台に存在する中空空間に挿入される実施態様が知られている。現場コンクリートに挿入された地中ゾンデが知られている。
【０００３】
収納された地中ゾンデは供給導管と放出導管を介して熱及び／又は冷却用のエネルギー利用装置、例えば熱ポンプと接続されていて、地中ゾンデ装置が複数の地中ソンデを備えて形成されている。慣例的に地中ゾンデがそれぞれに個別の供給導管と放出導管を介して共通の分配器／収集器と接続されている。そのようなシステムでは、それぞれ一つの固有の地中ゾンデを有する複数の平行のゾンデ循環路が形成されている。或いは分配管と収集管がゾンデ設置箇所に沿って敷設されていて、固有の地中ゾンデが平行にほとんどはチシェルマン（Tichelmann) 方法で接続されている。
【０００４】
欧州特許第１４８６７４１号明細書（特許文献１）から地中ゾンデが明らかになり、外管が打ち込みによって土地に堀下げられる。この外管は複数の差し込んだ管部材から成る。結合は特に密な差込みスリーブ結合によって形成されている。地中に収納された外管には、引き続いて、個々の管部材から成る外装管が挿入されていて、管部材が部材対部材で外管に案内されて溶接によって密に接続されている。その代わりに、外装管として、波形にされた合成樹脂ホースが必要な全長を備えて使用され得る。外管と外装管との間の中間空間が引き続いて排水物質を注入される。さらに、既に仕上げ組み立てられた内管が外装管に挿入される。この内管が熱担体媒体用の往路導管を形成して、内管と外装管との間の中間空間が熱担体媒体用の復路導管を形成する。この種の地熱ゾンデの製造は、建造現場にもたらす著しい組立て費用と関連されている。
【０００５】
地中の穿孔に収納する地中ゾンデが例えばオーストリア実用新案第７５１０号明細書（特許文献２）から知られている。波形管として形成された外管の内部には、内管が配置されていて、それにより熱担体媒体用の往復導管が形成される。熱ゾンデが予め仕上げられたユニットとして形成されていて、一体に丸められた状態で建造現場に取付けられ得る。所望の長さを備えるそれぞれの地中ゾンデのために、予め仕上げられたユニットがこの長さに形成されている。類似な形式に形成されて建物のコンクリート基礎要素に取付けられた地中ゾンデがオーストリア実用新案第７８８７号明細書（特許文献３）から知られている。    
【０００６】
往復導管が互いに中に位置して特に共軸方向に配置された管によって形成される所謂「共軸方向システム」のほかに、所謂「Ｕゾンデ」が知られていて、往復導管が互いに並んで配置された管によって形成される。唯一の往復導管を備える簡単なＵゾンデのほかに、二本の往路導管と二本の復路導管を備える二重Ｕゾンデが知られている。この種のＵゾンデは、例えば欧州特許出願公開第５８２１１８号明細書（特許文献４）から明らかに成る。往復導管がその下端には、熱担体媒体を１８０度転向させる底部材或いは他の脚部材によって互いに連結されている。往路導管の上端と復路導管の上端には、それぞれに一つのヘッド部材が取付けられて、このヘッド部材が溶接或いは貼付けによって導管と接続されていて、熱担体媒体を供給と放出するために、供給導管と接続する、或いは放出導管と接続する接続部を有する。地中ゾンデの往復導管が貫通する長い管によって形成される。
【０００７】
別のＵゾンデは例えば欧州特許出願公開第１００６３２２号明細書（特許文献５）から知られている。地中に地中ソンデを収納するために、まず最初に、複数の管部材から形成された管が地中に打ち込まれる。打ち込まれた管の内部中空空間には、導管システムが取付けられ、一端部材で打ち込まれた管の下端に接続されている。引き続いて、打ち込まれた管が、地中から外へ引き出される端部材を度外視される。
【先行技術文献】
【特許文献】
【０００８】
【特許文献１】欧州特許第１４８６７４１号明細書
【特許文献２】オーストリア実用新案第７５１０号明細書
【特許文献３】オーストリア実用新案第７８８７号明細書
【特許文献４】欧州特許出願公開第５８２１１８号明細書
【特許文献５】欧州特許出願公開第１００６３２２号明細書
【発明の概要】
【発明が解決しようとする課題】
【０００９】
この発明の課題は、簡単な形式で地中ゾンデが種々の長さに形成され得て、これが僅かな組立て費用で建造箇所に可能とする前記種類の地中ゾンデを形成するシステムを準備することである。この発明によると、これは、請求項１の特徴事項を備えるシステムによって達成される。
【課題を解決するための手段】
【００１０】
地中ゾンデを形成するために、この発明によるシステムがソンデモジュールを包含する。ゾンデモジュールは製造すべき地中ゾンデの長さ延長部の一部分を意味し、それは導管システムの往復導管の一部分或いは地中ゾンデの往復導管を形成する。二つのゾンデモジュールはそれぞれに少なくとも一つの形状一体的及び／又は力一体的結合、特に差込み結合或いは差込み継手によって互いに接続でき、両ゾンデモジュールの往路導管及び／又は復路導管のそれぞれの一部分が互いに接続されている。差込み結合の形成は直接に両ゾンデモジュールの往路導管及び／又は復路導管の結合差込みによって行われ、往路導管の両部分間、或いは復路導管の両部分間に差込み結合が形成されている。その代わりに、少なくとも一つの継手部材が存在し、この継手部材が接続すべき往路導管の両部分と、或いは接続すべき復路導管の両部分と一体に差込まれていて、それぞれ一つの差込み結合が形成されている。  
【００１１】
差込み結合或いは差込み継手の場合には、互いに接続すべき部材が一体に差込まれる。一体に差込まれた状態を維持するために、様々の形状一体的及び／又は力一体的に作用する要素が使用され得て、この場合に係止手段が好まれている。しかし、クランプリングを備えるプラグ、クランプリング−円錐体を備えるプラグ、係止するばねリングを備えるプラグ或いはカバーナットを備えるプラグが例えば使用できる。差込み結合或いは差込み継手が分離可能（分解可能に）或いは非分離可能（例えば係止要素によって）である。
【００１２】
差込み結合の代わりに、さらに、他の種類の形状一体的及び／又は力一体的結合が使用され得る、例えば螺子結合が使用され得る。
【００１３】
さらに、システムが地中ソンデの導管システムの往路導管を復路導管と接続する部分を形成されて、少なくとも一つの形状一体的及び／又は力一体的結合、特に差込み結合によって、それぞれのゾンデモジュールと接続され得て、脚部材の導管システムの部分がゾンデモジュールの往路導管及び／又は復路導管のそれぞれの部分と接続されている。差込み結合の形成が直接に脚部材の導管システムの部分とゾンデモジュールの往路導管及び／又は復路導管のそれぞれの部分との一体化差込みによって行われ、この場合に脚部材の導管システムの部分とゾンデモジュールの往路導管及び／又は復路導管のそれぞれの部分との間に一つのそれぞれの差込み結合が形成される。その代わりに少なくとも一つの継手部材が存在し、その継手部材が脚部材の導管システムの部分と並びにゾンデモジュールの往路導管及び／又は復路導管のそれぞれの部分と一体に差込まれて、それぞれ一つの差込み結合が形成されている。差込み結合の代わりに、さらに、他の種類の形状一体的及び／又は力一体的結合が使用され得る、例えば螺子結合が使用され得る。
【００１４】
地中ゾンデの形成の際に使用されたゾンデモジュールの数及び／又は長さに応じて、それにより異なった長さの地中ゾンデが形成されていて、地中ゾンデがその下端には差込まれた脚部材によって閉鎖されている。それ故に、この発明によって、比較的僅かに予め仕上げられたユニットを包含する積木箱システム（積木箱原理に基づくシステム）が準備され得て、そのような地中ゾンデによって種々の長さが僅かな組立て費用により形成され得る。地中ゾンデは面集熱器とは、地中ゾンデが地中の深さに突き出し、特に垂直に或いは垂線に対して１０°の角度範囲に突き出すことを相違する。垂線に対する４５°までの取付け角度が可能である。地中ソンデの長さが通常には５ｍと７５ｍの間の範囲、大抵は１５ｍと４ｍの間の範囲にある。
【００１５】
最も簡単な場合には、この発明のシステムによって形成された地中ソンデは、下端には脚部材が特に差込み結合によって接続されている唯一のゾンデモジュールを有する。特に、地中ゾンデは二つ以上のゾンデモジュールを包含する。
【００１６】
種々の、例えば四つの標準長さにゾンデモジュールを準備することによって、システムの高柔軟性が達成され得る。
【００１７】
特に、係止結合として形成された少なくとも一つの差込み結合が二つのゾンデモジュール間に存在する。特にそれぞれのゾンデモジュールと脚部材の間に係止結合として形成された少なくとも一つの差込み結合が存在する。
【００１８】
一実施例では、この発明のシステムによって地中ゾンデが形成でき、その往復導管が特に互いに共軸方向に（管内管構成）互いの中に位置する。他の実施態様では、地中ゾンデが形成でき、その少なくとも一つの往復導管が互いに並んで延びている（Ｕ−ゾンデ構成）。
【００１９】
この発明の別の課題は、最も簡単な設備がそれぞれの要件に適合する高い柔軟性の際に達成される前記種類の地中ゾンデ装置を準備することにある。この発明によりこれは、請求項２０の特徴事項を備える地中ゾンデ装置によって達成される。
【００２０】
形状一体的及び／又は力一体的結合、特に差込み結合によって互いに接続できる導管部材から供給導管と放出導管を形成することによって、供給導管と放出導管が簡単にそれぞれに与えられた関係に適合され得て、この場合に組立て費用が僅かである。特に、異なった長さの導管部材が存在し、それにより特に高い柔軟性が達成され得る。
【００２１】
それぞれの地中ゾンデとこのゾンデに案内する供給導管とこのゾンデから離れて案内する放出導管と結合するために、特に最上ゾンデモジュール（複数のゾンデモジュールから地中ゾンデを形成する場合に）の上端に或いはそれぞれの地中ゾンデの唯一のゾンデモジュールの上端に接続されたゾンデヘッドが存在する。この場合にゾンデヘッドが地中ゾンデの往復導管と、形状一体的及び／又は力一体的結合、特に差込み結合を介して接続されていて、供給導管と放出導管が同様に形状一体的及び／又は力一体的結合、特に差込み結合によってゾンデヘッドと接続されている。
【図面の簡単な説明】
【００２２】
【図１】複数の一列に構成された地中ゾンデを備えるこの発明の地中ソンデ装置の概略的表示を示す。
【図２】第一実施態様による地中ゾンデを形成する地中ゾンデモジュールを通る縦中心断面を示す。
【図３】第一実施態様による地中ゾンデを形成する地中ゾンデモジュールを通る横断面（図２の切断線Ａ−Ａ）を示す。
【図４】結合領域における二つの一体に差込まれた地中ゾンデモジュールの縦断面を示す。
【図５】ゾンデモジュールに差込まれた脚部材を通る縦断面を示す。
【図６】ゾンデモジュールに差込まれたソンデヘッドを通る縦断面を示す。
【図７】上端に接続されたゾンデヘッドを備える第二実施態様であり、縦断面の地中ゾンデを示す。
【図８】図７の線Ｂ−Ｂに沿う横断面を示す。
【図９】地中ゾンデの第三実施態様による地中ゾンデを形成する地中ゾンデモジュールを通る縦断面を示す。
【図１０】図９の線Ｃ−Ｃに沿う横断面を示す。
【図１１】結合領域におけるこの第三実施態様の二つの一体に差込まれた地中ゾンデモジュールの縦断面を示す。
【図１２】図１１の線Ｄ−Ｄに沿う横断面を示す。
【図１３】図９乃至図１２に一致する一つのゾンデモジュールと一体に差込まれているこの第三実施態様によるゾンデ脚部材の縦中心断面を示す。
【図１４】図９乃至図１２による一つのゾンデモジュールと一体に差込まれているこの第三実施態様によるゾンデヘッドの縦中心断面を示す。
【図１５】上端に接続されたゾンデヘッドを備える地中ソンデの第四実施態様を側面図で示す。
【図１６】ゾンデヘッドに差込まれた導管部材を備える地中ゾンデの上部分の縦中心断面を示す。
【図１７】地中ゾンデの別の実施態様によるゾンデモジュールを通る横断面、即ち図１８の切断線Ｆ−Ｆを示す。
【図１８】図１７の線Ｅ−Ｅに沿う縦中心断面を示す。
【図１９】図１７と１８による実施態様の二つの一体に差込まれたゾンデモジュールを縦中心断面で示す。
【発明を実施するための形態】
【００２３】
この発明の更なる利点や詳細は次に添付された図面に基づいて説明される。
【実施例】
【００２４】
図１から概略的表示において、熱エネルギーを地中から受け取り且つ熱エネルギーを地中に放出する又は熱エネルギーを地中から受け取るか、或いは熱エネルギーを地中に放出する地中ゾンデ装置の可能な実施例が明らかに成る。この実施例による地中ゾンデ装置は連続回路における複数の地中ゾンデ１を包含する。それぞれの地中ゾンデ１へ熱担体媒体を供給し且つ地中ゾンデ１から熱担体媒体を放出するために、導管を備える結合導管システムが用いられ、導管は個々の導管部材２−８によって形成される。導管部材２は直列に配置された地中ゾンデ１の第一地中ゾンデに対する供給導管の少なくとも一つの部分を形成し、図１に図示されていない端に直接に或いは複数の別の導管部材を介してエネルギー利用源（熱、冷却）に、例えば熱ポンプに、或いは分配器／収集器に接続されている。複数のゾンデ循環路が存在するときに、例えば第二ゾンデ循環路或いは複数のソンデ循環路が存在するときに、特に分配器／収集器が使用され、第一ゾンデ循環路に対して平行に接続されて、例えば同じ形式で形成されている。
【００２５】
導管部材３が一列に接続された地中ゾンデ１の図１に図示された放出導管と第二地中ゾンデ１用の供給導管とを形成する。導管部材４と５も類似である。導管部材６−８が差込み結合９、１０を介して互いに接続されていて、直列に接続された地中ソンデ１の最後の地中ゾンデの放出導管の少なくとも一つの部分を形成し、導管部材８が直接に或いは一つの或いは複数の別の図１に図示されていない導管部材を介してエネルギー利用源或いは分配器／収集器と接続され得る。
【００２６】
地中ゾンデ１は、それぞれに複数の一体に差込まれたゾンデモジュール１１、１２と最下ゾンデモジュール１１の下端に差込まれた脚部材１３とから形成されている。例えば図示されるように、大きな長さを備える三つのゾンデモジュール１１と小さい長さを備える一つのゾンデモジュール１２が存在する。
【００２７】
地中ゾンデ１は示された実施例にはそれぞれにゾンデヘッド１４を介してその供給導管と放出導管を形成する導管部材２−８と接続されている。この場合には、ゾンデヘッド１４が最上ゾンデヘッド１２の上端上に載置し、差込み結合を介してそれぞれの導管部材２−６と接続されている。
【００２８】
次に、図２乃至６に基づいて地中ソンデを形成するシステムの第一実施例が説明される。システムのゾンデモジュール１１が図２と図３に図示されている。特に予め仕上げられたゾンデモジュールが異なった標準化された長さで、例えば四つの異なった長さで存在する。
【００２９】
それぞれのゾンデモジュール１１が地中ゾンデ１の縦延長部の一部分を形成し、この場合には、このゾンデモジュール１１から地中ゾンデ１の導管システムの一部分が形成されていて、この実施例には、熱担体媒体を上から下へ輸送する往路導管の一部分１５及び熱担体媒体を下から上へ輸送する復路導管の一部分１６が形成されている。この場合に、部分１５、１６が共軸方向に互いに配置された管部材により形成されている。
【００３０】
ゾンデモジュール１１は外管部材１７を有し、導管システムのゾンデモジュール１１から形成された部分が外管により受け取られる。導管システムの外管部材１７と外管部材の間の中間空間１８が少なくともその長さの最大部材を介して良熱導体排水物質１９で充填される。特に容積耐性でセメント結合された排水物質１９が使用され得て、特にコンクリートが使用され得る。充填は、端部分から見て、ゾンデモジュール１１の全縦延長部にわたり延びている。
【００３１】
復路導管の部分１６を形成する外管部材が例えば外方に突き出す突起２０を備えている滑らか管として形成されている。突起２０によって外管部材１７内に外部管部材の心合せが達成される。例えば短い中断された縦ウエブ或いは螺旋状に縦に延びるウエブを備えるような外部管部材の他の形成態様も考慮でき、外管部材１７に対する心合せ機能を備えても、或いは心合せ機能なしでも可能である。心合せ機能が例えば縦に延びる拡大部或いは外管部材１７と部分１６の間に配置された別の部材により奏される。例えば導管システムの外部管部材が波形管により形成され得る。
【００３２】
往路導管の一部分を形成する内部管部材が示された実施例にて縦方向に延びる枠２１を有し、この枠は横断面に見て星状に外方に突き出している。これは、とりわけ、地中ソンデの利用期間の経過において外管部材がその支持機能を、特に腐食に基づいて喪失した場合に、復路導管の部分１６を形成する外部管部材を支持するのに用いられる。復路導管の部分１６を形成する外部管部材は所望の良好な熱伝達を考慮して比較的薄壁に形成され得る。さらに、内部管部材が枠２１によって外部管部材内に心合せされる。
【００３３】
内部管部材が示された他の横断面形状を有し、短い中間空間を備える例えば短い軽く横に調整された枠或いは縦延長部に波状に延びる短い中断されたウエブ或いは縦延長部に螺字線状に延びる短い中断されたウエブを備える。外部管部材の支持機能は外管部材１７の適切な長期間安定した形成の際に省略され得る。外管部材内の心合せが別の挿入部材によって奏され得た。内部管部材が例えば滑らか管として或いは横波形になった波形管として形成されている。外部管部材内の心合せ機と場合によっては外部管部材用の支持機能とを準備する内部管部材として、外側に位置する突起を備える滑らか管が使用され得る。
【００３４】
ゾンデモジュール１１が一体に差込み可能に形成されていて、ゾンデモジュール１１の一体に差込みの際に両ゾンデモジュール１１の往復導管の部分１５、１６が一体に差込まれる。このために、それぞれの差込み結合を形成するゾンデモジュール１１が一端にプラグ部材と他端にこの差込み結合のコンセント部材とを有する。
【００３５】
二つの一体に差込まれたゾンデモジュール１１が図４に図示されている。往路導管の部分間の差込み結合を形成するために、内部管部材の下端に管接続部２２が、例えば材料一体に溶接或いは貼付けによって取付けられる。形成一体且つ／又は摩耗一体な結合は同様に考慮できて可能である。管接続部は差込み結合のプラグ部材を形成し、僅かな遊びにより下に位置するゾンデモジュール１１の内部管部材の上部分に差込まれ得て、内部管部材のこの上部分が差込み結合のコンセント部材を形成する。この内方に位置する差込み結合の完全な密封性が熱担体媒体に関してこの場合に必要でない。  
【００３６】
復路導管の部分１６間に差込み結合を形成するために、それぞれのゾンデモジュール１１の外部管部材の下端に減少された直径を備えるプラグ部材２３が、例えば材料一体に溶接或いは貼付けによって取付けられる。形成一体且つ／又は摩耗一体な結合は考慮できて可能であり、熱担体媒体用のこの結合が外方に密に且つ耐圧的に形成されている。プラグ部材２３が自由端に対して外径の二つの減少部を有する。外径の第一減少部の範囲が外部当接する密封リング２４用の外部密封面を外径の第二減少部の範囲に形成し、外方に突き出す係止舌２５が形成されている。
【００３７】
復路導管の部分１６を形成する外部管部材の上端には、この上に外部から錆びない鋼製のスリーブ２６がプレスされる。このスリーブが溝に設置されたパッキング２４を有する。プラグ部材を導入するために、スリーブがコンセント入口に円錐状に形成されている。プラグスリーブが復路導管１６とストッパ２８により密にプレスされる。このストッパ２８は係止舌２５との係止を奏する。
【００３８】
無論、他の実施態様のプラグ部材とコンセント部材とが、例えば仮定された密封機能と係止機能を備える合成樹脂を使用され得る。
【００３９】
それ故に、部分１６の下端がプラグ部材を形成し、部分１６の上端が二つの一体に差込まれた差込みモジュール１１の部分１６の間に差込み結合を形成するコンセント部材を形成し、差込み結合が係止結合として形成されている。
【００４０】
二つの互いに差込まれたゾンデモジュールの外管部材１７間に差込み結合を形成するために、外管部材１７の下端には、減少された直径を備える管接続部２９が例えば材料一体に溶接或いは貼付けによって取付けられる。形成一体且つ／又は摩耗一体な結合は同様に考慮できて可能である。二つのゾンデモジュール１１の互いに差込まれた状態には、外管部材用の差込み結合のプラグ部材を形成するこの管接続部２９が下に位置するソンデモジュール１１の外管部材１７の上端部分に突き出し、ゾンデモジュールが差込み結合のコンセント部材を形成する。それにより互いに差込まれたゾンデモジュール１１の外管部材１７が心合せされていて、それは特に内側に位置する差込み結合や出来る限り完全な載置のために、地中ゾンデの打ち込み或いは振動の際に重要である。
【００４１】
各ゾンデモジュールが同じに形成されたコンセント部材を上端に、プラグ部材を下端に有する。差込み結合は異なった他の形式で記載されたように形成され得る。例えばプラグ部材とコンセント部材が一つの、両方、或いはすべて三つの差込み結合のために、取り違えて形成され得た。さらに、一つの、両方、或いはすべて三つの差込み結合のために、継手部材も使用され得て、継手部材が両側でそれぞれの管部材と一体に差込まれ得るので、本来それぞれの二つの差込み結合が存在する。そのような継手部材が図１９（５１、５２）に図示されていて；差込み結合が復路導管の部分１６の結合の場合のみに、密封に形成される。他の種類の継手部材が図１１（３９、４３）に図示されている。これら継手部材の場合には、両部分１５と１６の結合が密封に形成される。
【００４２】
柔軟な形式で異なった長さの地中ゾンデを形式できるために、異なって長いけれども、しかし、さもなければ、同じに形成されるゾンデモジュール１１、１２が存在する。
【００４３】
最下ゾンデモジュール１１の下端を閉鎖するために、差込み可能な脚部材１３が存在し、その脚部材により往復導管が互いに接続されている。往復導管のこの結合のために、脚部材１３が図５による実施例では管部材３０を有し、この管部材が脚部材のゾンデモジュール１１と一体に差込まれた状態にゾンデモジュール１１の管接続部２２の下端の内部に間隔をおいて位置する下端にはカバー３１によって閉じられている。ゾンデモジュール１１の復路導管の管部材３０と部分１６の間の差込み結合が一体に差込まれたゾンデモジュール１１の復路導管の二つの部分１６の間の既に記載された差込み結合と同様な形式に形成されている。
【００４４】
脚部材１３は管部材３０を受け取る外管部材３２を有する。ゾンデモジュール１１の外管部材３２と外管部材１７の間の差込み結合が二つの一体に差込まれたゾンデモジュール１１の外管部材１７の間の既に記載された差込み結合と同じに形成されている。
【００４５】
外管部材３２の下端には、例えば板状打ち込み部材３３が地中ゾンデ１の打ち込み或いは振動するように取付けられる。板状打ち込み部材３３が下方に例えば球状構成或いは尖端を有し得る。
【００４６】
地中に設けられた地中ゾンデ１を製造するために、まず最初に脚部材１３がゾンデモジュール１１の下端上に差込まれて、その後にこの両部材が特に打ち込み或いは振動によって堀下げられる。引き続いて、次の上ゾンデモジュール１１が差込まれて、一体に差込まれた部材がさらに堀下げられる。これは、地中ソンデ１の所望の長さまで繰り返されて、ゾンデモジュール１１、１２の適切な長さが選択される。
【００４７】
地中ゾンデ１の往復導管を供給導管と放出導管とに結合するために、最上ゾンデモジュール１２上に差込みできるゾンデヘッド１４が存在する。ゾンデヘッド１４が互いに位置する管部材を有し、この管部材が下に位置するゾンデモジュール１２の往復導管の部分１５、１６との差込み結合を形成する第一と第二接続部３４、３５を形成する。この場合には、接続部３４、３５の端部分が、既に二つのゾンデモジュール１１のために記載された差込み結合を形成するために、それぞれのゾンデモジュール１１、１２の部分１５、１６の下端部分と同じ形式で形成されている。
【００４８】
ゾンデヘッド１４は第三接続部３６を第四接続部３７と接続する通路３８を有し、それにより迂回が地中ゾンデ１に対して形成されていて、熱担体媒体の一部が地中ゾンデ１の傍に通過して案内され、つまり熱担体媒体のこの部分用の迂回が形成されている。この場合には、通路３８の開口横断面が実質的に第一と第二の接続部３４、３５の開口横断面より小さい。特に第一と第二の接続部３４、３５の開口横断面がそれぞれに通路３８の開口横断面よりそれぞれに二倍から百倍であり、４対１と４０対１の間の範囲が特に好ましい。
【００４９】
そのような通路３８の形成によって、熱担体媒体の全周辺量が所望ゾンデ流束に対する比で選択されて調整され得る。さらに、熱担体媒体の充填の際には、副効果として二つの或いは多数の一列に接続された地中ゾンデ１の簡単な換気を与える。この場合に、好都合には、通路３８が第三と第四接続部３６、３７を通路開口の上端に接続させる。
【００５０】
通路３８は第三と第四接続部の間の中間壁の開口により形成されている。この開口には、貫流を調整するために挿入体５４が存在し得る。挿入体５４が例えばねじ込まれるか、或いは差込まれる。ゾンデ種類とゾンデ長さに応じて、ゾンデヘッドの組立て前に適した挿入体５４が挿入され得て、異なった通過横断面（開口横断面）を備える挿入体５４が存在する。その代わりに、例えば固定的に組立てられた通路が調整可能な開口横断面を備えて存在し得る。
【００５１】
導管部材６、７、８間の差込み結合９、１０（図１）が特にゾンデヘッド１４の第三或いは第四接続部３６、３７と供給導管或いは放出導管の間の差込み結合と同じ形式で形成されている。それ故に、それぞれの導管部材２−８は一端に差込み結合のプラグ部材を、他端に差込み結合のコンセント部材を有する。
【００５２】
導管部材２−８の差込み可能な結合が導管部材間に位置する継手部材を介して考慮できて可能である。この場合に、導管部材２−８が両端に同じ形式で、つまり両側で差込み結合のプラグ部材として或いは両側でコンセント部材として形成されていて、継手部材が両側で差込み結合の対応する逆部材を形成する。ゾンデヘッド１４の第三と第四接続部３６、３７との結合がこの場合に同様にそれぞれに継手部材を介して行われる。
【００５３】
図７と８には、別の実施例により形成された地中ゾンデ１が差込まれたゾンデヘッド１４を備えて図示されている。この地中ゾンデ１がここで同じ長さの二つの一体に差込まれたソンデモジュール１１を包含する。無論、異なった長さのソンデモジュール１１及び／又は他の数のゾンデモジュール１１が存在し得る。前もって記載された実施例に対して差異は、地中ゾンデ１が外管及び外管と導管システムの間に充填された排水物質なしに形成されていることである。それ故に、個々のゾンデモジュール１１と脚部材１３は外管及びその間に充填された排水物質なしに形成されている。地中ゾンデ１のこの形成は例えば地中に設けられた孔に挿入するのに適していて、その孔が例えば穿孔、打ち込み、抑圧によって、洗浄方法により或いはこれらの組合せから製造されて、地中孔と地中ゾンデ間の中間空間に地中ゾンデを設置した後に排水物質が充填される。同様に、地中ゾンデが地中に設けられた部材の中空空間に例えば特に打ち込み或いは振動によって堀下げられた鋼管或いはコンクリート管或いはパイロット或いは土台によって挿入され得る。地中ソンデと地中ゾンデを受け取る部分の間の中間空間は同様に排水物質を排出される。さらに、現場コンクリートへの投入が液状状態中に可能である。
【００５４】
別の実施例は次に図９乃至１４に基づいて説明される。前の実施例と類似な部材のために、同じ参照符号が使用される。地中ゾンデがここで互いに並んで延びる往復導管を備える所謂Ｕゾンデとして形成されている。ゾンデモジュール１１が図９と図１０に図示されている。ゾンデモジュールが往復導管の部分１５、１６を形成する互いに並んで位置する管部材を包含する。管部材は例えば波形管として図示されるように形成されていて、しかし、他の形態でも形成されていて、例えば滑り管の形態で或いは他の形式で構成された管、例えば外方及び／又は内方に突き出す突起を備える管が形成される。
【００５５】
往復導管の部分１５、１６は外管部材１７により受け取られる。外管部材１７がここで部分１５、１６をその両端に突き出ていて、しかし、これは以下に記載された差込み結合の形成に依存し、この差込み結合が他の形式で形成されていて、例えば前もって記載された実施態様の共軸方向導管システムの外部管部材と類似な形式で形成されている。
【００５６】
部分１５、１６と外管部材１７の間の中間空間が少なくともその長さの最大部材を介して排水物質１９を充填されて、この排水物質が既に記載されたような同じ形式で形成され得る。
【００５７】
異なった長さの地中ゾンデを柔軟に形成するために、ゾンデモジュール１１の好都合な特に異なった長さが存在する。
【００５８】
ゾンデモジュール１１は、これが図１１に図示されるように、差込み結合によって互いに接続され得る。
【００５９】
二つのゾンデモジュール１１の部分１５、１６を結合するために、ここで管部材により形成された継手部材３９が用いられ、この継手部材は特に部分１５の結合や部分１６の結合のために同じ形式で形成される。それぞれの継手部材３９が特にその上端により上ゾンデモジュール１１の部分１５或いは部分１６と差込み結合によって接続でき、下端により下ゾンデモジュール１１の部分１５或いは部分１６と差込み結合によって接続できる。すべての差込み結合が特に同じ形式で実施されている。
【００６０】
例えば図示されたような差込み結合は、部分１５、１６が内方に突き出す係止突起４１を有する係止舌４０を備えていることによって形成されている。周辺方向において、少なくとも二つのそのような係止舌が存在し、この係止舌がスリットを通して開放されて、バネ弾性形成を達成される。部分１５或いは部分１６の中心の方向にさらにスリットの端に逆らって、密封面が継手部材３９のそれぞれの端部分に配置されたパッキング４２を設置するように形成されている。継手部材３９がさらにそれぞれの端部分に例えば環状溝により形成されて係止突起４１と係合する係止窪みを有する。
【００６１】
二つの一体に差込まれたゾンデモジュール１１の外管部材１７を結合するために、例えば鋼強化合成樹脂から形成される継手部材４３が用いられる。継手部材４３が結合すべきゾンデモジュール１１の外管部材１７の端部に差込みられ得る。差込み深さはストッパ４４、４５によって限定され得る。継手部材４３が継手部材３９を貫流する貫通通路を有する。
【００６２】
それ故に、継手部材４３が両結合すべきゾンデモジュール１１の外管部材１７を備える差込み結合を形成し、この継手部材が外管部材１７を互いに心合せする。互いに結合した状態には、外管部材１７の端部が互いに載置する。
【００６３】
部分１５、１６と外管部材１７を結合する差込み結合は、図示されたのとは違った形式で形成され得る。例えば部分１５、１６及び／又は外管部材１７が直接に、継手部材３９、４３の補助手段なしに差込み結合によって接続され得る。好都合に各場合には、少なくとも一つの差込み結合、特に部分１５、１６用のそれぞれの差込み結合を差込み結合によって互いに結合した両部材として閉鎖された状態に形状一体に互いに結合する係止結合が形成されている。
【００６４】
図１３に図示された脚部材１３はここで弓状管部材により形成されて、その弓状管部材がその一端によりゾンデモジュール１１の往路導管の部分１５と、その他端により復路導管の部分１６とそれぞれの差込み結合によって接続される。差込み結合は部分１５或いは１６を備える継手部材３９の差込み結合と同じ形式で二つのゾンデモジュール１１の結合の際に形成されていて、特にさらに閉鎖された状態で形状一体に係止される。
【００６５】
その代わりに、脚部材１３が例えば二つの接続部を備えるポットにより形成され得て、接続部がそのような差込み結合を介して部分１５、１６と接続できる。
【００６６】
最下ゾンデモジュール１１の外管部材がここで脚部材１３を越えて内方に突き出す。端側には例えば板状に形成された打ち込み部材３３が外管部材１７と接続されて、地中ゾンデ１を地面に打ち込む、或いは振動させる。打ち込み部材３３が下方にピラミット状或いは尖状形成体を有する。
【００６７】
図１４には、最上ゾンデモジュール１１と結合したゾンデヘッド１４が図示されている。往復導管の部分１５、１６との結合する第一と第二の接続部３４、３５が管部材により形成されていて、その端部分が管部材３９の端部分の同じ形式で形成されていて、部分１５、１６を備える差込み結合を形成させる。
【００６８】
第三と第四の接続部３６、３７が既に図６に基づいて記載された形式で形成されている。同様に既に記載されたように、第三と第四の接続部３６、３７の間に通路３８が存在し、この通路が分離壁４６に開口として形成されて、ゾンデ貫通の選択と換気のような既に記載された機能を有する。
【００６９】
差込まれたゾンデヘッドを備える地中ゾンデ用の別の実施例は、図１５に図示されている。前もって記載された実施例との差異では、この地中ソンデが往復導管の外部も位置する外管を有しない。この地中ゾンデが既に存在する孔状開口に取付ける図７と８に図示された地中ゾンデと類似に用いられ、図７と８との関係に記載された使用種類を参照せよ。      
【００７０】
ゾンデモジュール１１がここで導管部材の形態で形成されていて、導管部材がそれぞれに地中ゾンデの往路導管の部分１５も、地中ゾンデの復路導管の部分１６も形成され得る。示された実施例では、往復導管がそれぞれに同じ長さの二つのゾンデモジュール１１を有する。当然に、異なった長さの既に記載されたゾンデモジュール１１のような地中ソンデの長さに適合させるように使用され得て、所望の長さを達成させる異なる数のゾンデモジュール１１が設けられている。
【００７１】
ゾンデモジュール１１間の差込み結合が図１５において個々に図示されていない。例えばそれぞれのゾンデモジュール１１が一端に図９乃至図１４に基づいて記載された実施例のような形成体を有し、他端にこの前もって記載された実施例の継手部材３９のような形成体を有する。
【００７２】
往路導管の部分１５を形成する最下ゾンデモジュール１１と、復路導管の部分１６を形成する最下ゾンデモジュール１１とが脚部材１３によって互いに接続されて、それにより地中ゾンデ１の往復導管が互いに接続されている。脚部材１３とゾンデモジュール１１との結合は差込み結合によって行われ、この差込み結合はゾンデモジュール１１間の差込み結合のような同じ形式で形成されている。
【００７３】
往路導管の最上部分１５を形成するゾンデモジュール１１の上端と、復路導管の最上部分１６を形成するゾンデモジュール１１の上端とがゾンデヘッド１４の第一と第二の接続部３４、３５と接続されている。この場合に差込み結合はゾンデモジュール１１間の差込み結合のような同じ形式で形成されている。
【００７４】
ゾンデヘッド１４は供給導管と放出導管を備える差込み結合を形成するさらに第三と第四の接続部を有する。第三と第四の接続部３６、３７が既に記載された形式で通路３８を介して互いに接続されている。
【００７５】
図１６は、差込まれたゾンデヘッドを備える例えばＵゾンデの形態に形成された地中ゾンデの上部分を示し、ゾンデヘッドには供給導管と放出導管を形成する導管部材５、６、７が差込まれている。ゾンデヘッド１４と地中ゾンデとの結合が概略的のみに図示されているが、しかし、例えば図１４に図示されるのと同じに形成されている。ゾンデヘッド１４の導管部材５、６と第三と第四の接続部３６、３７の間の差込み結合が同様に同じ形式で係止結合の形態で形成されている。同じ差込み結合が個々の導管部材６、７間に形成されていて、地中ゾンデ１への供給導管及び／又は地中ゾンデ１からの放出導管が複数の一体に差込まれた導管部材５−７から形成されている。
【００７６】
導管部材５−７は波形管の形態で形成されている。それにより導管部材は良好な屈曲性にもかかわらず安定性に作用する地圧に対する十分な安定性を有する。例えば一端に差込み結合のプラグ部材が、他端に差込み結合のコンセント部が取付けられる同じ波形管が地中ゾンデへの供給導管と地中ゾンデ１からの放出導管の導管部材として且つ地中ゾンデの往復導管の部分１５、１６として使用される。
【００７７】
導管部材３−５を上下に結合するために且つゾンデヘッド１４の第三と第四の接続部３６、３７と導管部材３−５を結合するために、さらに、継手部材も使用されて、その端部が結合すべき部材と一体に差込まれる。導管部材５−７がこの場合に両端にて同じに形成された差込み結合部材を有する。
【００７８】
別の実施態様によるゾンデモジュールは連続端で図１７乃至１９に基づいて説明される。図２乃至４に基づいて説明されたゾンデモジュールとの相違は、外管部材４７として、ゾンデモジュール１１の導管システムの部分の復路導管の部分１６を形成する外部管部材に限定する鉄筋コンクリート管が使用されることである。このために、導管システムの外部管部材を包囲するコンクリート鋼４８、４９から形成されたノブが管状型枠でコンクリートを放出される。縦方向に延びる棒状コンクリート鋼部材４８がコンクリートを放出された領域を越えて延びていて、その端部にはそれぞれに鋼製の管接続部５０が接続されている。二つのゾンデモジュール１１を結合するために、継手部材５１、５２が使用されていて、その両端により往復導管の結合すべき部分１５、１６と一体に差込まれている。外部管部材と一体に差込まれた継手部材５２がこの外部管部材と係止されていて、それぞれのパッキング２４によって耐圧的に密封されている。
【００７９】
鋼製の管接続部５０を備える図１７、１８、１９によるゾンデモジュールの前側端が一体化差込みの際に鋼スリーブ５３によって接続されて互いに心合せされる。
【００８０】
熱担体媒体の流れ方向は、共軸方向構成を備えるゾンデモジュールの際に、往路導管が内管によって、復路導管が外部管によって行われる。自ら、熱担体媒体の流れ方向が逆方向に行われ得ることが生じる。
【００８１】
実施例に記載された差込み結合の代わりに、他の形状一体及び／又は力一体的結合、例えばねじ結合が使用され得る。
【００８２】
形状一体及び／又は力一体的結合がこの書類の範囲内で論じられるならば、そのような形状一体及び／又は力一体的継手を特徴とされる。そのような結合或いは継手が閉鎖後に再び分解できる（分離可能に）か或いは例えば係止要素によって分解できない。さらに、結合或いは継手が工具なしに閉鎖可能に形成され得る。
【符号の説明】
【００８３】
１．．．．．地中ゾンデ
２−８．．．導管部材
９−１０．．．差込み結合
１１−１２．．．ゾンデモジュール
１３．．．．脚部材
１４．．．．ゾンデヘッド
１５−１６．．．部分
１７．．．．外管部材
１８．．．．中間空間
１９．．．．排水物質
２０．．．．突起
２１．．．．枠
２２．．．．管接続部
２３．．．．プラグ部材
２４．．．．パッキング
２５．．．．係止舌
２６．．．．スリーブ
２８．．．．ストッパ
２９．．．．管接続部
３０．．．．管部材
３１．．．．カバー
３２．．．．外管部材
３３．．．．打ち込み部材
３４．．．．第一接続部
３５．．．．第二接続部
３６．．．．第三接続部
３７．．．．第四接続部
３８．．．．通路
３９．．．．継手部材
４０．．．．端部材
４１．．．．係止突起
４２．．．．パッキング
４３．．．．継手部材
４４、４５．．．ストッパ
４６．．．．分離壁
４７．．．．外管部材
４８、４９．．．コンクリート鋼
５０．．．．管接続部
５１、５２．．．継手部材
５３．．．．鋼スリーブ
５４．．．．挿入体
【図１】
2010520387.tif 000003
【図２】
2010520387.tif 000004
【図３】
2010520387.tif 000005
【図４】
2010520387.tif 000006
【図５】
2010520387.tif 000007
【図６】
2010520387.tif 000008
【図７】
2010520387.tif 000009
【図８】
2010520387.tif 000010
【図９−１０】
2010520387.tif 000011
【図１１】
2010520387.tif 000012
【図１２】
2010520387.tif 000013
【図１３】
2010520387.tif 000014
【図１４】
2010520387.tif 000015
【図１５】
2010520387.tif 000016
【図１６】
2010520387.tif 000017
【図１７】
2010520387.tif 000018
【図１８】
2010520387.tif 000019
【図１９】
2010520387.tif 000020
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
地中から熱エネルギーを受け取り且つ熱エネルギーを地中に放出する、又は地中から熱エネルギーを受け取るか、或いは熱エネルギーを地中に放出して、地中ゾンデが地中ゾンデ（１）の下端に互いに接続されている往復導管を備える導管システムを有して地中ゾンデ（１）を形成するシステムであって、このシステムは、地中ゾンデ（１）の往路導管及び／又は復路導管のそれぞれ一つの部分（１５、１６）が形成されていて、少なくとも一つの差込み結合によって少なくとも接続できるゾンデモジュール（１１、１２）と脚部材（１３）を包含し、この脚部材が地中ゾンデ（１）の導管システムの往路導管を復路導管と接続する部分を形成していて、ゾンデモジュール（１１、１２）と少なくとも一つの形状一体及び／又は力一体的結合、特に差込み結合によって接続できるシステムにおいて、  二つの互いに接続されたゾンデモジュール（１１、１２）が少なくとも一つの閉鎖状態に係止された差込み結合によって形状一体に互いに接続されていることを特徴とするシステム。
【請求項２】
往復導管の部分（１５、１６）が互いに位置して特に共軸方向配列を有することを特徴とする請求項１に記載のシステム。
【請求項３】
二つのゾンデモジュール（１１、１２）の往路導管及び／又は復路導管の部分（１５、１６）が差込み結合を形成するように直接に一体に差込まれ得る、或いは二つのゾンデモジュールの往路導管及び／又は復路導管の部分（１５、１６）が継手部材（３９）によって互いに接続できていて、この継手部材が両ゾンデモジュール（１１、１２）の往路導管の部分（１５）及び／又は復路導管の部分（１６）と一体に差込まれ得ることを特徴とする請求項１或いは２に記載のシステム。
【請求項４】
ゾンデモジュール（１１、１２）が外管部材（１７）を有し、外管部材の内部に地中ゾンデ（１）の導管システムの部分が受け取られ、往復導管の部分（１５、１６）により形成される管部材を包含することを特徴とする請求項１乃至３のいずれか一項に記載のシステム。                                                                            
【請求項５】
二つのゾンデモジュール（１１、１２）の外管部材（１７）が少なくとも一つの形状一体及び／又は力一体的結合、特に差込み結合によって互いに接続できることを特徴とする請求項４に記載のシステム。  
【請求項６】
二つのゾンデモジュール（１１、１２）の結合の際に一方の各ゾンデモジュール（１１、１２）の外管部材（１７）の一端に設けられた管接続部（２９）がこのゾンデモジュール（１１、１２）と接続すべきゾンデモジュール（１１、１２）の他端に差込まれ得る、或いは継手部材（４３）が存在し、この継手部材が接続すべきゾンデモジュール（１１、１２）の外管部材（１７）の両端に挿入できることを特徴とする請求項５に記載のシステム。  
【請求項７】
各ゾンデモジュール（１１、１２）の外管部材（１７）とゾンデモジュール（１１、１２）の導管システムの間の中間空間（１８）が少なくとも縦延長部の大部分にわたり一つの特にセメント結合された排水物質（１９）で充填されていることを特徴とする請求項４乃至６のいずれか一項に記載のシステム。
【請求項８】
脚部材（１３）が外管部材（３２）を有し、外管部材の内部には地中ゾンデ（１）の導管システムの部分が配置されていて、その部分により地中ゾンデの往路導管が地中ゾンデの復路導管と接続でき、そして脚部材（１３）とゾンデモジュール（１１、１２）の接続された状態では、脚部材（１３）の外管部材（３２）がゾンデモジュール（１１、１２）の外管部材（１７）と少なくとも一つの形状一体及び／又は力一体的結合、特に差込み結合によって接続できることを特徴とする請求項４乃至７のいずれか一項に記載のシステム。                                                                                
【請求項９】
往復導管の互いに位置して特に共軸方向配列では、互いに接続されたゾンデモジュールの往路導管の部分（１５）を受ける復路導管の部分（１６）が閉鎖状態に係止された差込み結合によって形状一体に互いに接続されていることを特徴とする請求項１乃至８のいずれか一項に記載のシステム。
【請求項１０】
二つの互いに接続されたゾンデモジュール（１１、１２）の外管部材（１７）は、外管部材の内部には地中ゾンデ（１）の導管システムの各部分が受け取られ、閉鎖状態に係止された差込み結合を介して形状一体に互いに接続されていることを特徴とする請求項１乃至９のいずれか一項に記載のシステム。
【請求項１１】
ゾンデモジュール（１１、１２）と接続された脚部材（１３）がゾンデモジュール（１１、１２）と閉鎖状態に係止された少なくとも一つの差込み結合によって形状一体に接続されていることを特徴とする請求項１乃至１０のいずれか一項に記載のシステム。
【請求項１２】
このシステムがゾンデヘッド（１４）を包含し、このゾンデヘッドが形状一体及び／又は力一体的結合、特に差込み結合を形成して、地中ゾンデ（１）の往復導管を備える第一と第二の接続部（３４、３５）と、形状一体及び／又は力一体的結合、特に差込み結合を形成して、地中ゾンデ（１）への供給導管と地中ゾンデからの放出導管を備える第三と第四の接続部（３６、３７）とを有することを特徴とする請求項１乃至１１のいずれか一項に記載のシステム。
【請求項１３】
ゾンデヘッド（１４）が第三接続部を第四接続部（３６、３７）と接続する通路（３８）を有し、この通路により迂回が地中ゾンデ（１）に対して形成されていることを特徴とする請求項１２に記載のシステム。
【請求項１４】
閉鎖状態に係止された少なくとも一つの差込み結合によって形状一体に互いに接続された二つのゾンデモジュールでは、ゾンデモジュール（１）により形成された往路導管の部分（１５）が差込み結合によって互いに接続されており、そしてゾンデモジュール（１）により形成された復路導管の部分（１６）が差込み結合によって互いに接続されていることを特徴とする請求項１乃至１３のいずれか一項に記載のシステム。
【請求項１５】
地中から熱エネルギーを受け取り且つ熱エネルギーを地中へ放出するか、又は地中から熱エネルギーを受け取るか、或いは熱エネルギーを地中へ放出する地中ゾンデ装置であって、この地中ゾンデ装置が請求項１乃至１４のいずれか一項に記載のシステムによって形成される少なくとも一つの地中ゾンデと結合導管システム（２−８）とを有し、この地中ゾンデが熱担体媒体を貫通できる往復導管を備える導管システムを有し、この結合導管システムによって各地中ゾンデ（１）の熱担体媒体がこの地中ゾンデ（１）に案内する供給導管を介して供給でき、結合導管システムを介して熱担体媒体が各地中ゾンデ（１）からこの地中ゾンデ（１）から離れて案内する放出導管を介して放出できる地中ゾンデ装置において、供給導管と放出導管が形状一体及び／又は力一体的結合、特に差込み結合によって互いに接続できる導管部材（２−８）から形成されていることを特徴とする地中ゾンデ装置。
【手続補正２】
【補正対象書類名】明細書
【補正対象項目名】０００１
【補正方法】変更
【補正の内容】
【０００１】
この発明は、土地から熱エネルギーを受け取り且つ土地に熱エネルギーを放出する又は土地から熱エネルギーを受け取る、或いは土地に熱エネルギーを放出する地中ソンデを形成するシステムであって、このシステムは、地中ゾンデ（１）の往路導管及び／又は復路導管のそれぞれ一つの部分（１５、１６）が形成されていて、少なくとも一つの差込み結合によって少なくとも接続できるゾンデモジュール（１１、１２）と脚部材（１３）を包含し、この脚部材が地中ゾンデ（１）の導管システムの往路導管を復路導管と接続する部分を形成していて、ゾンデモジュール（１１、１２）と少なくとも一つの形状一体及び／又は力一体的結合、特に差込み結合によって接続できるシステムに関する。
【手続補正３】
【補正対象書類名】明細書
【補正対象項目名】０００７
【補正方法】変更
【補正の内容】
【０００７】
別のＵゾンデは例えば欧州特許出願公開第１００６３２２号明細書（特許文献５）から知られている。地中に地中ソンデを収納するために、まず最初に、複数の管部材から形成された管が地中に打ち込まれる。打ち込まれた管の内部中空空間には、導管システムが取付けられ、一端部材で打ち込まれた管の下端に接続されている。引き続いて、打ち込まれた管が、地中から外へ引き出される端部材を度外視される。
上記種類のシステムは独逸特許公開第１０２０２２６１号明細書（特許文献６）と独逸特許公開第３０３２１０４号明細書（特許文献７）から明らかである。
【手続補正４】
【補正対象書類名】明細書
【補正対象項目名】０００８
【補正方法】変更
【補正の内容】
【０００８】
【特許文献１】欧州特許第１４８６７４１号明細書
【特許文献２】オーストリア実用新案第７５１０号明細書
【特許文献３】オーストリア実用新案第７８８７号明細書
【特許文献４】欧州特許出願公開第５８２１１８号明細書
【特許文献５】欧州特許出願公開第１００６３２２号明細書
【特許文献６】独逸特許公開第１０２０２２６１号明細書
【特許文献７】独逸特許公開第３０３２１０４号明細書
【手続補正５】
【補正対象書類名】明細書
【補正対象項目名】００１０
【補正方法】変更
【補正の内容】
【００１０】
地中ソンデを形成するために、この発明によるシステムがソンデモジュールを包含する。ソンデモジュールは製造すべき地中ソンデの長さ延長部の一部分を意味し、それは導管システムの往復導管の一部分或いは地中ソンデの往復導管を形成する。二つのソンデモジュールはそれぞれに少なくとも一つの形状一体的差込み結合或いは差込み継手によって互いに接続でき、両ソンデモジュールの往路導管及び／又は復路導管のそれぞれの一部分が互いに接続されている。差込み結合の形成は直接に両ソンデモジュールの往導管及び／又は復路導管の結合差込みによって行われ、往路導管の両部分間、或いは復路導管の両部分間に差込み結合が形成されている。その代わりに、少なくとも一つの継手部材が存在し、この継手部材が接続すべき往路導管の両部分と、或いは接続すべき復路導管の両部分と一体に差込まれていて、それぞれ一つの差込み結合が形成されている。  
【手続補正６】
【補正対象書類名】明細書
【補正対象項目名】００１２
【補正方法】変更
【補正の内容】
【００１２】
この発明によると、係止結合として形成された少なくとも一つの差込み結合が二つのゾンデモジュールの間に存在する。
【手続補正７】
【補正対象書類名】明細書
【補正対象項目名】００１７
【補正方法】変更
【補正の内容】
【００１７】
特にそれぞれのゾンデモジュールと脚部材の間に係止結合として形成された少なくとも一つの差込み結合が存在する。
【手続補正８】
【補正対象書類名】明細書
【補正対象項目名】００１９
【補正方法】変更
【補正の内容】
【００１９】
地中ゾンデ装置を準備するために、最も簡単な設備がそれぞれの要件に適合する高い柔軟性の際に達成され、地中ゾンデ装置がこの発明のシステムによって形成された少なくとも一つの地中ゾンデと結合導管システムとを有し、この結合導管システムによって各地中ゾンデの熱担体媒体がこの地中ゾンデまで案内する供給導管を介して供給でき、その導管システムを介して熱担体媒体が各地中ゾンデからこの地中ゾンデから離れるよう案内する放出導管を介して放出でき、供給導管と放出導管が形状一体及び／又は力一体的結合、特に差込み結合によって互いに接続できる導管部材から形成されている。
【手続補正９】
【補正対象書類名】明細書
【補正対象項目名】００８０
【補正方法】変更
【補正の内容】
【００８０】
実施例に記載された差込み結合の代わりに、部分的に他の形状一体及び／又は力一体的結合、例えばねじ結合が使用され得る。
【国際調査報告】
2010520387.tif 000021
2010520387.tif 000022
2010520387.tif 000023
2010520387.tif 000024
2010520387.tif 000025
2010520387.tif 000026